(57)【要約】      （修正有）【課題】ピボット構造を有しない軟質ゴム製指サック酸素濃度計を提供する。【解決手段】軟質ゴム製指サック酸素濃度計は軟質ゴム製指サック１１を備え、その軟質ゴム製指サックは、指の外形の変動に合わせて指を隙間なく包み込み、指の締め付けられる部分に締付力を均一に分布させることができる。軟質ゴム製指サック１１内に放射回路基板及び受信回路基板が設けられる。酸素濃度計の軟質ゴム製指サック１１は密閉され、側面から入射する光を遮断することができる。【選択図】図１Ｂ
0003168038.tif 000002
【実用新案登録請求の範囲】
【請求項１】
ピボット構造を有しない軟質ゴム製指サック酸素濃度計であって、該軟質ゴム製指サック酸素濃度計は、軟質ゴム製指サックを備え、該軟質ゴム製指サックは指の外形の変動に合わせて指を隙間なく包み込み、指の締め付けられる部分に締付力を均一に分布させ、該軟質ゴム製指サック内に放射回路基板及び受信回路基板が設けられることを特徴とする、ピボット構造を有しない軟質ゴム製指サック酸素濃度計。
【請求項２】
データ処理回路基板、試験報告表示画面、操作キー、電池、スピーカー及びミニＵＳＢデータ出力ポートを含む電子素子が設けられるハウジングをさらに備え、該ハウジングは、前記軟質ゴム製指サックの外部の側面に配置され、前記軟質ゴム製指サックに着脱可能に接続される、請求項１に記載のピボット構造を有しない軟質ゴム製指サック酸素濃度計。
【請求項３】
データ処理回路基板、試験報告表示画面、操作キー、電池、スピーカー及びミニＵＳＢデータ出力ポートを含む電子素子が全てソフトシリカゲル鞘内に固定され、前記電子素子を固定及び保護するために用いられるステンレス鋼接続板が前記ソフトシリカゲル鞘内に埋め込まれ、前記ステンレス鋼接続板は前記ソフトシリカゲル鞘に合わせてホットプレスされ、該ソフトシリカゲル鞘内に挿入されて単一のユニットを形成し、前記ステンレス鋼接続板の輪郭は、前記ソフトシリカゲル鞘の上側表面及び側面の外形と共に変動する、請求項１に記載のピボット構造を有しない軟質ゴム製指サック酸素濃度計。
【請求項４】
データ処理回路基板、試験報告表示画面、操作キー、電池、スピーカー及びミニＵＳＢデータ出力ポートを含む電子素子がハウジング内に設けられ、該ハウジング内に、軟質ゴム製滑り板のための水平引きずり滑り面が設けられ、上側軟質ゴム製指サック及び下側軟質ゴム製指サックがそれぞれ前記軟質ゴム製滑り板に固定され、一方、該軟質ゴム製滑り板はそれぞれ、前記ハウジング内の該軟質ゴム製滑り板のための前記水平引きずり滑り面上に取り付けられ、測定素子が前記軟質ゴム製指サックに取り付けられ、前記軟質ゴム製指サックに取り付けられる前記測定素子は、ピンソケットを介して、前記ハウジング内のインターフェース回路基板に接続される、請求項１に記載のピボット構造を有しない軟質ゴム製指サック酸素濃度計。
【考案の詳細な説明】
【技術分野】
【０００１】
本考案はフィンガークリップ酸素濃度計に関し、詳細には、ピボット構造を有しない軟質ゴム製指サック酸素濃度計に関する。
【背景技術】
【０００２】
一般的に、従来技術によるフィンガークリップ酸素濃度計は上側ケース及び下側ケースを備えており、それらのケースはピボットによって互いに接続され、ピボットを中心にして相対的に回転することができ、互いに或る特定の距離だけ分離される。上側ケース及び下側ケースは、コイルばねによって、測定される指の爪に締付圧をかける。
【０００３】
しかしながら、フィンガークリップ酸素濃度計が爪を締め付けて酸素測定を実行するとき、上側ケース及び下側ケースは必然的に、互いに対して或る特定の角度だけ開けられる。上側ケース及び下側ケースが開けられた後に、側面から光が入射し、それにより、その光が強い場合には測定結果に影響を及ぼすことになる。人が異なると、指のサイズも異なるので、上側ケース及び下側ケースが互いに対して開けられる角度が異なり、側面から入射する光による影響も異なる。したがって、フィンガークリップ酸素濃度計は、種々のサイズを有する指に関して予め較正を実行するのは難しく、それによって実際の使用中に光路オフセットが生じやすく、結果として測定誤差が生じるようになる。
【０００４】
さらに、従来技術によるフィンガークリップ酸素濃度計では、上側ケース及び下側ケースの指締付部分は、指の長さに沿って指に不均一な力を加え、ヒンジ付ピボットから離れた場所ほど、締付力が小さくなる。使用者が異なると、指のサイズも大きく異なるので、従来技術によるフィンガークリップ酸素濃度計の締付部分は、所定の範囲のサイズ内でのみ規定することができ、従来技術による任意の特定のフィンガークリップ酸素濃度計は、指が太すぎるか、又は細すぎると、適用することはできない。それゆえ、従来技術によるフィンガークリップ酸素濃度計を適用することができる範囲は限られる。さらに、使用者の指が太くなるほど、従来技術によるフィンガークリップ酸素濃度計を使用するときに、使用者の指が不快に感じる。
【０００５】
従来技術によるフィンガークリップ酸素濃度計は構造的に制限されるので、ケースが指と接触する部分は、都合良く、且つ完全に清潔にすることができない。それゆえ、使用中に種々の使用者間で細菌が相互に繁殖する恐れがある。
【０００６】
また、従来技術によるフィンガークリップ酸素濃度計は、構造的に複雑であり、組み立てるのが難しい。
【考案の概要】
【考案が解決しようとする課題】
【０００７】
本考案の目的は、側面から入射する光を遮断することができ、且つ光が強い環境において正確な測定結果を得るために正常に使用することができる、ピボット構造を有しない軟質ゴム製指サック酸素濃度計を提供することである。
【０００８】
本考案の別の目的は、光路オフセットを小さくすることができ、且つ測定の精度を改善することができる、ピボット構造を有しない軟質ゴム製指サック酸素濃度計を提供することである。
【０００９】
本考案のさらに別の目的は、シリコーン（silicon）ゴムの物理的な可撓性を利用することによって、軟質ゴム製指サックが指の外形の変動に合わせて指を隙間なく包み込み、締付力が指の締め付けられる部分に均一に分布し、それによって人と機械との接触面が変更され、快適さが改善されるようにする、ピボット構造を有しない軟質ゴム製指サック酸素濃度計を提供することである。
【００１０】
本考案のさらに別の目的は、ケースが指と接触する部分を都合良く、且つ完全に清潔にすることができ、それゆえ、使用中に使用者間で細菌が相互に繁殖する恐れがない、ピボット構造を有しない軟質ゴム製指サック酸素濃度計を提供することである。
【００１１】
本考案のさらに別の目的は、製造物の構造が簡単であり、製造物の信頼性が改善される、ピボット構造を有しない軟質ゴム製指サック酸素濃度計を提供することである。
【課題を解決するための手段】
【００１２】
このため、本考案は、ピボット構造を有しない軟質ゴム製指サック酸素濃度計であって、該軟質ゴム製指サック酸素濃度計は、軟質ゴム製指サックを備え、該軟質ゴム製指サックは指の外形の変動に合わせて指を包み込み、指の締め付けられる部分に締付力を均一に分布させ、該軟質ゴム製指サック内に放射回路基板及び受信回路基板が設けられることを特徴とする、ピボット構造を有しない軟質ゴム製指サック酸素濃度計を提供する。
【００１３】
好ましくは、軟質ゴム製指サック酸素濃度計は、データ処理回路基板、試験報告表示画面、操作キー、電池、スピーカー及びミニＵＳＢデータ出力ポートを含む電子素子が設けられるハウジングをさらに備え、該ハウジングは、軟質ゴム製指サックの外部の側面に設けられ、軟質ゴム製指サックに着脱可能に接続される。
【００１４】
好ましくは、データ処理回路基板、測定回路基板、試験報告表示画面、操作キー、電池、スピーカー及びミニＵＳＢデータ出力ポートを含む電子素子が全てソフトシリカゲル鞘内に固定され、電子素子を固定及び保護するために用いられるステンレス鋼接続板がソフトシリカゲル鞘内に埋め込まれ、ステンレス鋼接続板はソフトシリカゲル鞘に合わせてホットプレスされ、該ソフトシリカゲル鞘内に挿入されて単一のユニットを形成し、接続板の輪郭は、ソフトシリカゲル鞘の上側表面及び側面の外形と共に変動する。
【００１５】
好ましくは、データ処理回路基板、試験報告表示画面、操作キー、電池、スピーカー及びミニＵＳＢデータ出力ポートを含む電子素子がハウジング内に設けられ、該ハウジング内に、軟質ゴム製滑り板のための水平引きずり滑り面が設けられ、上側軟質ゴム製指サック及び下側軟質ゴム製指サックがそれぞれ軟質ゴム製滑り板に固定され、一方、該軟質ゴム製滑り板はそれぞれ、ハウジング内の該軟質ゴム製滑り板のための水平引きずり滑り面上に取り付けられ、測定素子が軟質ゴム製指サックに取り付けられ、軟質ゴム製指サックに取り付けられる測定素子は、ピンソケットを介して、ハウジング内のインターフェース回路基板に接続される。
【００１６】
本考案による軟質ゴム製指サック酸素濃度計は、側面から入射する光を遮断することができ、それによって光が強い環境において正確な測定結果を得るために酸素濃度計を正常に使用できるようにする、密閉されたシリカゲル指サックを有する。
【００１７】
本考案による軟質ゴム製指サック酸素濃度計は、光路オフセットを小さくすることができ、且つ測定の精度を改善することができる、密閉されたシリカゲル指サックを有する。
【００１８】
本考案による軟質ゴム製指サック酸素濃度計は、シリコーンゴムの物理的な可撓性を利用することによって、軟質ゴム製指サックが指の外形の変動に合わせて指を隙間なく包み込み、締付力を指の締め付けられる部分に均一に分布させて、人と機械との接触面が変更され、快適さが改善されるようにする、密閉されたシリカゲル指サックを有する。
【００１９】
本考案による軟質ゴム製指サック酸素濃度計は、シリコーンゴムの物理的な可撓性を利用することによって、ケースが指と接触する部分を都合良く、且つ完全に清潔にすることができ、それゆえ、使用中に使用者間で細菌が相互に繁殖する恐れがない、密閉されたシリカゲル指サックを有する。
【００２０】
本考案による軟質ゴム製指サック酸素濃度計は、従来技術におけるピボット及びコイルばねをなくすことによって、製造物の構造が簡単化され、製造物の信頼性が改善される、密閉されたシリカゲル指サックを有する。
【図面の簡単な説明】
【００２１】
【図１Ａ】本考案の第１の実施形態による軟質ゴム製指サック酸素濃度計の斜視図である。
【図１Ｂ】図１Ａの線Ｉ−Ｉに沿って見た縦断面図である。
【図１Ｃ】図１Ａの線ＩＩ−ＩＩに沿って見た横断面図である。
【図２Ａ】本考案の第２の実施形態による軟質ゴム製指サック酸素濃度計の斜視図である。
【図２Ｂ】図２Ａの線Ｌ−Ｌに沿って見た縦断面図である。
【図２Ｃ】図２Ａの線Ｗ−Ｗに沿って見た横断面図である。
【図３Ａ】本考案の第３の実施形態による軟質ゴム製指サック酸素濃度計の斜視図である。
【図３Ｂ】図３Ａの線Ａ−Ａに沿って見た縦断面図である。
【図３Ｃ】図３Ａの線Ｂ−Ｂに沿って見た横断面図である。
【考案を実施するための形態】
【００２２】
本考案の第１の実施形態によれば、図１Ａ、図１Ｂ及び図１Ｃに示されるように、軟質ゴム製指サック酸素濃度計は、ハウジング１３及びシリカゲル指サック１１を含む、箱状の酸素濃度計である。ハウジング１３はシリカゲル指サック１１の外部に設けられており、シリカゲル指サックは軟質の指サックであり、その上に複数の傘形コネクタ（図示せず）が設けられる。これらの傘形コネクタをハウジング１３にスナップ嵌めして、シリカゲル指サック１１をハウジング１３に接続することができる。
【００２３】
シリカゲル指サック１１を取り替える必要がある場合には、ハウジング１３を持ってシリカゲル指サック１１をわずかな力で引っ張るだけでよく、このようにシリカゲル指サック１１をハウジング１３から都合良く切り離すことができる。
【００２４】
この実施形態では、測定素子１５、１６はシリカゲル指サック１１上に設けられる。データ処理回路基板、試験報告表示画面１４、操作キー、電池１７、スピーカー、ミニＵＳＢデータ出力ポート等がハウジング１３内に設けられる。シリカゲル指サック１１に固定される測定素子１５、１６はピンソケットを介してハウジング１３内のインターフェース回路基板に接続される。参照番号１８は電池蓋を表す。
【００２５】
シリカゲル指サック１１の開口部１２からシリカゲル指サック１１内に指が挿入されるとき、シリカゲル指サック１１は指の外形の変動に合わせて指を隙間なく包み込み、指の締め付けられる部分に締付力を均一に分布させる。
【００２６】
シリカゲル指サック１１は、広い弾性伸縮範囲を有し、指のサイズの変動が大きくなっても、それに合わせることができる。
【００２７】
シリカゲル指サック１１は、完全に密閉された形を成し、側面からの強い光が測定を妨げるのを防ぐ。
【００２８】
ピボット構造がなくなるので、酸素濃度計の信頼性が改善される。
【００２９】
本考案の第２の実施形態によれば、図２Ａ、図２Ｂ及び図２Ｃに示されるように、軟質ゴム製指サック酸素濃度計２１は、一体型ソフトシリカゲル鞘酸素濃度計であり、電子素子が全てソフトシリカゲル鞘２２内に配置される。
【００３０】
電子素子を全てソフトシリカゲル鞘２２内に固定するために、ソフトシリカゲル鞘２２に合わせてホットプレスされ、該ソフトシリカゲル鞘内に挿入されて単一のユニットを形成するステンレス鋼接続板が、ソフトシリカゲル鞘２２に埋め込まれる。接続板の輪郭は、ソフトシリカゲル鞘２２の上側表面及び側面の外形と共に変動し、素子を固定し、且つ保護する役割を果たす。
【００３１】
データ処理回路基板２７、測定用回路基板２５、２６、試験報告表示画面２３、操作キー、電池２８、スピーカー、ミニＵＳＢデータ出力ポート等がソフトシリカゲル鞘２２内に設けられる。
【００３２】
開口部２４からソフトシリカゲル鞘２２内に指が挿入されるとき、ソフトシリカゲル鞘２２が指の外形の変動に合わせて指を隙間なく包み込み、指の締め付けられる部分に締付力を均一に分布させる。
【００３３】
ソフトシリカゲル鞘２２は、広い弾性伸縮範囲を有し、指のサイズの変動が大きくなっても、それに合わせることができる。
【００３４】
この実施形態では、電子素子の全てがソフトシリカゲル鞘２２内に収容されるので、鞘の材料は、外部からの衝撃力を吸収することができ、それにより、ソフトシリカゲル鞘はさらに耐落下機能も有する。
【００３５】
ソフトシリカゲル鞘２２は、完全に密閉された形を成し、側面からの強い光が測定を妨げるのを防ぐ。
【００３６】
ピボット構造がなくなるので、酸素濃度計の信頼性が改善される。
【００３７】
本考案の第３の実施形態によれば、図３Ａ、図３Ｂ及び図３Ｃに示されるように、軟質ゴム製指サック酸素濃度計は、箱状の軟質ゴム製指板酸素濃度計である。軟質ゴム製滑り板３５、３７のための水平引きずり滑り面が設けられるハウジング３１が軟質ゴム製指サック酸素濃度計内に設けられる。上側軟質ゴム製指サック３６及び下側軟質ゴム製指サック３４が軟質ゴム製滑り板３７、３５にそれぞれ固定され、一方、軟質ゴム製滑り板３７、３５は、ハウジング３１内の軟質ゴム製滑り板のための水平引きずり滑り面上にそれぞれ取り付けられる。測定素子３９、３８が、軟質ゴム製指サック３６、３４にそれぞにれ取り付けられる。
【００３８】
軟質ゴム製滑り板３７、３５がハウジング３１から引きずり出された後に、上側及び下側軟質ゴム製指サック３６、３４を都合良く取り替えることができる。軟質ゴム製指サック３６、３４にそれぞれ固定される測定素子３９、３８は、ピンソケットを介して、ハウジング３１内のインターフェース回路基板に接続される。
【００３９】
データ処理回路基板、試験報告表示画面３３、操作キー、電池４０、スピーカー、ミニＵＳＢデータ出力ポート等がハウジング３１内に設けられる。
【００４０】
開口部３２から軟質ゴム製指サック３６、３４の中に指が挿入されるとき、軟質ゴム製指サック３６、３４は、指の外形の変動に合わせて指を隙間なく包み込み、指の締め付けられる部分に締付力を均一に分布させる。
【００４１】
軟質ゴム製指サック３６、３４は、広い弾性伸縮範囲を有し、指のサイズの変動が大きくなっても、それに合わせることができる。
【００４２】
軟質ゴム製指サック３６、３４は完全にハウジング３１内に設けられ、ハウジングは完全に密閉された形を成し、側面からの強い光が測定を妨げるのを防ぐ。
【００４３】
ピボット構造がなくなるので、酸素濃度計の信頼性が改善される。
【００４４】
本考案の３つの実施形態をこれまでに説明してきたが、本考案に対して種々の変更、改善及び置換を行なうことができることは当業者には理解することができ、これらの変更、改善及び置換は全て、添付の実用新案の請求の範囲によって規定される本考案の範囲内に入る。
【図１Ａ】
0003168038.tif 000003
【図１Ｂ】
0003168038.tif 000004
【図１Ｃ】
0003168038.tif 000005
【図２Ａ】
0003168038.tif 000006
【図２Ｂ】
0003168038.tif 000007
【図２Ｃ】
0003168038.tif 000008
【図３Ａ】
0003168038.tif 000009
【図３Ｂ】
0003168038.tif 000010
【図３Ｃ】
0003168038.tif 000011
【手続補正書】
【提出日】平成22年9月28日(2010.9.28)
【手続補正１】
【補正対象書類名】明細書
【補正対象項目名】全文
【補正方法】変更
【補正の内容】
【考案の詳細な説明】
【技術分野】
【０００１】
本考案はフィンガークリップ酸素濃度計に関し、詳細には、ピボット構造を有しない軟質ゴム製指サック酸素濃度計に関する。
【背景技術】
【０００２】
一般的に、従来技術によるフィンガークリップ酸素濃度計は上側ケース及び下側ケースを備えており、それらのケースはピボットによって互いに接続され、ピボットを中心にして相対的に回転することができ、互いに或る特定の距離だけ分離される。上側ケース及び下側ケースは、コイルばねによって、測定される指の爪に締付圧をかける。
【０００３】
しかしながら、フィンガークリップ酸素濃度計が爪を締め付けて酸素測定を実行するとき、上側ケース及び下側ケースは必然的に、互いに対して或る特定の角度だけ開けられる。上側ケース及び下側ケースが開けられた後に、側面から光が入射し、それにより、その光が強い場合には測定結果に影響を及ぼすことになる。人が異なると、指のサイズも異なるので、上側ケース及び下側ケースが互いに対して開けられる角度が異なり、側面から入射する光による影響も異なる。したがって、フィンガークリップ酸素濃度計は、種々のサイズを有する指に関して予め較正を実行するのは難しく、それによって実際の使用中に光路オフセットが生じやすく、結果として測定誤差が生じるようになる。
【０００４】
さらに、従来技術によるフィンガークリップ酸素濃度計では、上側ケース及び下側ケースの指締付部分は、指の長さに沿って指に不均一な力を加え、ヒンジ付ピボットから離れた場所ほど、締付力が小さくなる。使用者が異なると、指のサイズも大きく異なるので、従来技術によるフィンガークリップ酸素濃度計の締付部分は、所定の範囲のサイズ内でのみ規定することができ、従来技術による任意の特定のフィンガークリップ酸素濃度計は、指が太すぎるか、又は細すぎると、適用することはできない。それゆえ、従来技術によるフィンガークリップ酸素濃度計を適用することができる範囲は限られる。さらに、使用者の指が太くなるほど、従来技術によるフィンガークリップ酸素濃度計を使用するときに、使用者の指が不快に感じる。
【０００５】
従来技術によるフィンガークリップ酸素濃度計は構造的に制限されるので、ケースが指と接触する部分は、都合良く、且つ完全に清潔にすることができない。それゆえ、使用中に種々の使用者間で細菌が相互に繁殖する恐れがある。
【０００６】
また、従来技術によるフィンガークリップ酸素濃度計は、構造的に複雑であり、組み立てるのが難しい。
【考案の概要】
【考案が解決しようとする課題】
【０００７】
本考案の目的は、側面から入射する光を遮断することができ、光が強い環境において正確な測定結果を得るために正常に使用することができる、ピボット構造を有しない軟質ゴム製指サック酸素濃度計を提供することである。
【０００８】
本考案の別の目的は、光路オフセットを小さくすることができ、且つ測定の精度を改善することができる、ピボット構造を有しない軟質ゴム製指サック酸素濃度計を提供することである。
【０００９】
本考案のさらに別の目的は、シリコーン（silicon）ゴムの物理的な可撓性を利用することによって、軟質ゴム製指サックが指の外形の変動に合わせて指を隙間なく包み込み、締付力が指の締め付けられる部分に均一に分布し、それによって人と機械との接触面が変更され、快適さが改善されるようにする、ピボット構造を有しない軟質ゴム製指サック酸素濃度計を提供することである。
【００１０】
本考案のさらに別の目的は、ケースが指と接触する部分を都合良く、且つ完全に清潔にすることができ、それゆえ、使用中に使用者間で細菌が相互に繁殖する恐れがない、ピボット構造を有しない軟質ゴム製指サック酸素濃度計を提供することである。
【００１１】
本考案のさらに別の目的は、製造物の構造が簡単であり、製造物の信頼性が改善される、ピボット構造を有しない軟質ゴム製指サック酸素濃度計を提供することである。
【課題を解決するための手段】
【００１２】
このため、本考案は、ピボット構造を有しない軟質ゴム製指サック酸素濃度計であって、該軟質ゴム製指サック酸素濃度計は、軟質ゴム製指サックを備え、該軟質ゴム製指サックは指の外形の変動に合わせて指を包み込み、指の締め付けられる部分に締付力を均一に分布させ、該軟質ゴム製指サック内に放射回路基板及び受信回路基板が設けられることを特徴とする、ピボット構造を有しない軟質ゴム製指サック酸素濃度計を提供する。
【００１３】
好ましくは、軟質ゴム製指サック酸素濃度計は、データ処理回路基板、試験報告表示画面、操作キー、電池、スピーカー及びミニＵＳＢデータ出力ポートを含む電子素子が設けられるハウジングをさらに備え、該ハウジングは、軟質ゴム製指サックの外部の側面に設けられ、軟質ゴム製指サックに着脱可能に接続される。
【００１４】
好ましくは、軟質ゴム製指サック酸素濃度計は、データ処理回路基板、測定回路基板、試験報告表示画面、操作キー及び電池を含む回路ユニットと、回路ユニットが設けられ、指を挿入することができる開口部を有するソフトシリカゲル鞘とをさらに備え、測定回路基板は、互いに向かい合って設けられる放射回路基板及び受信回路基板を含む。
【００１５】
好ましくは、放射回路基板は、ソフトシリカゲル鞘内の、測定時に測定される指がソフトシリカゲル鞘の内側表面と接触する側に設けられ、放射回路基板と向かい合って設けられる受信回路基板は、ソフトシリカゲル鞘内の、データ処理回路基板が配置される側に設けられる。
【００１６】
好ましくは、電子素子を固定及び保護するために用いられるステンレス鋼接続板がソフトシリカゲル鞘内に埋め込まれ、ステンレス鋼接続板はソフトシリカゲル鞘に合わせてホットプレスされ、該ソフトシリカゲル鞘内に挿入されて単一のユニットを形成し、ステンレス鋼接続板の輪郭は、ソフトシリカゲル鞘の上側表面及び側面の外形と共に変動する。
【００１７】
好ましくは、データ処理回路基板、試験報告表示画面、操作キー、電池、スピーカー及びミニＵＳＢデータ出力ポートを含む電子素子がハウジング内に設けられ、該ハウジング内に、軟質ゴム製滑り板のための水平引きずり滑り面が設けられ、上側軟質ゴム製指サック及び下側軟質ゴム製指サックがそれぞれ軟質ゴム製滑り板に固定され、一方、該軟質ゴム製滑り板はそれぞれ、ハウジング内の該軟質ゴム製滑り板のための水平引きずり滑り面上に取り付けられ、測定素子が軟質ゴム製指サックに取り付けられ、軟質ゴム製指サックに取り付けられる測定素子は、ピンソケットを介して、ハウジング内のインターフェース回路基板に接続される。
【００１８】
本考案による軟質ゴム製指サック酸素濃度計は、側面から入射する光を遮断することができ、それによって光が強い環境において正確な測定結果を得るために酸素濃度計を正常に使用できるようにする、密閉されたシリカゲル指サックを有する。
【００１９】
本考案による軟質ゴム製指サック酸素濃度計は、光路オフセットを小さくすることができ、且つ測定の精度を改善することができる、密閉されたシリカゲル指サックを有する。
【００２０】
本考案による軟質ゴム製指サック酸素濃度計は、シリコーンゴムの物理的な可撓性を利用することによって、軟質ゴム製指サックが指の外形の変動に合わせて指を隙間なく包み込み、締付力を指の締め付けられる部分に均一に分布させて、人と機械との接触面が変更され、快適さが改善されるようにする、密閉されたシリカゲル指サックを有する。
【００２１】
本考案による軟質ゴム製指サック酸素濃度計は、シリコーンゴムの物理的な可撓性を利用することによって、ケースが指と接触する部分を都合良く、且つ完全に清潔にすることができ、それゆえ、使用中に使用者間で細菌が相互に繁殖する恐れがない、密閉されたシリカゲル指サックを有する。
【００２２】
本考案による軟質ゴム製指サック酸素濃度計は、従来技術におけるピボット及びコイルばねをなくすことによって、製造物の構造が簡単化され、製造物の信頼性が改善される、密閉されたシリカゲル指サックを有する。
【図面の簡単な説明】
【００２３】
【図１Ａ】本考案の第１の実施形態による軟質ゴム製指サック酸素濃度計の斜視図である。
【図１Ｂ】図１Ａの線Ｉ−Ｉに沿って見た縦断面図である。
【図１Ｃ】図１Ａの線ＩＩ−ＩＩに沿って見た横断面図である。
【図２Ａ】本考案の第２の実施形態による軟質ゴム製指サック酸素濃度計の斜視図である。
【図２Ｂ】図２Ａの線Ｌ−Ｌに沿って見た縦断面図である。
【図２Ｃ】図２Ａの線Ｗ−Ｗに沿って見た横断面図である。
【図３Ａ】本考案の第３の実施形態による軟質ゴム製指サック酸素濃度計の斜視図である。
【図３Ｂ】図３Ａの線Ａ−Ａに沿って見た縦断面図である。
【図３Ｃ】図３Ａの線Ｂ−Ｂに沿って見た横断面図である。
【考案を実施するための形態】
【００２４】
本考案の第１の実施形態によれば、図１Ａ、図１Ｂ及び図１Ｃに示されるように、軟質ゴム製指サック酸素濃度計は、ハウジング１３及びシリカゲル指サック１１を含む、箱状の酸素濃度計である。ハウジング１３はシリカゲル指サック１１の外部に設けられており、シリカゲル指サックは軟質の指サックであり、その上に複数の傘形コネクタ（図示せず）が設けられる。これらの傘形コネクタをハウジング１３にスナップ嵌めして、シリカゲル指サック１１をハウジング１３に接続することができる。
【００２５】
シリカゲル指サック１１を取り替える必要がある場合には、ハウジング１３を持ってシリカゲル指サック１１をわずかな力で引っ張るだけでよく、このようにシリカゲル指サック１１をハウジング１３から都合良く切り離すことができる。
【００２６】
この実施形態では、測定素子１５、１６はシリカゲル指サック１１上に設けられる。データ処理回路基板、試験報告表示画面１４、操作キー、電池１７、スピーカー、ミニＵＳＢデータ出力ポート等がハウジング１３内に設けられる。シリカゲル指サック１１に固定される測定素子１５、１６はピンソケットを介してハウジング１３内のインターフェース回路基板に接続される。参照番号１８は電池蓋を表す。
【００２７】
シリカゲル指サック１１の開口部１２からシリカゲル指サック１１内に指が挿入されるとき、シリカゲル指サック１１は指の外形の変動に合わせて指を隙間なく包み込み、指の締め付けられる部分に締付力を均一に分布させる。
【００２８】
シリカゲル指サック１１は、広い弾性伸縮範囲を有し、指のサイズの変動が大きくなっても、それに合わせることができる。
【００２９】
シリカゲル指サック１１は、完全に密閉された形を成し、側面からの強い光が測定を妨げるのを防ぐ。
【００３０】
ピボット構造がなくなるので、酸素濃度計の信頼性が改善される。
【００３１】
本考案の第２の実施形態によれば、図２Ａ、図２Ｂ及び図２Ｃに示されるように、軟質ゴム製指サック酸素濃度計２１は、一体型ソフトシリカゲル鞘酸素濃度計であり、電子素子が全てソフトシリカゲル鞘２２内に配置される。
【００３２】
電子素子を全てソフトシリカゲル鞘２２内に固定するために、ソフトシリカゲル鞘２２に合わせてホットプレスされ、該ソフトシリカゲル鞘内に挿入されて単一のユニットを形成するステンレス鋼接続板が、ソフトシリカゲル鞘２２に埋め込まれる。接続板の輪郭は、ソフトシリカゲル鞘２２の上側表面及び側面の外形と共に変動し、素子を固定し、且つ保護する役割を果たす。
【００３３】
データ処理回路基板２７、測定用回路基板２５、２６、試験報告表示画面２３、操作キー、電池２８、スピーカー、ミニＵＳＢデータ出力ポート等がソフトシリカゲル鞘２２内に設けられる。
【００３４】
開口部２４からソフトシリカゲル鞘２２内に指が挿入されるとき、ソフトシリカゲル鞘２２が指の外形の変動に合わせて指を隙間なく包み込み、指の締め付けられる部分に締付力を均一に分布させる。
【００３５】
ソフトシリカゲル鞘２２は、広い弾性伸縮範囲を有し、指のサイズの変動が大きくなっても、それに合わせることができる。
【００３６】
この実施形態では、電子素子の全てがソフトシリカゲル鞘２２内に収容されるので、鞘の材料は、外部からの衝撃力を吸収することができ、それにより、ソフトシリカゲル鞘はさらに耐落下機能も有する。
【００３７】
ソフトシリカゲル鞘２２は、完全に密閉された形を成し、側面からの強い光が測定を妨げるのを防ぐ。
【００３８】
ピボット構造がなくなるので、酸素濃度計の信頼性が改善される。
【００３９】
本考案の第３の実施形態によれば、図３Ａ、図３Ｂ及び図３Ｃに示されるように、軟質ゴム製指サック酸素濃度計は、箱状の軟質ゴム製指板酸素濃度計である。軟質ゴム製滑り板３５、３７のための水平引きずり滑り面が設けられるハウジング３１が軟質ゴム製指サック酸素濃度計内に設けられる。上側軟質ゴム製指サック３６及び下側軟質ゴム製指サック３４が軟質ゴム製滑り板３７、３５にそれぞれ固定され、一方、軟質ゴム製滑り板３７、３５は、ハウジング３１内の軟質ゴム製滑り板のための水平引きずり滑り面上にそれぞれ取り付けられる。測定素子３９、３８が、軟質ゴム製指サック３６、３４にそれぞにれ取り付けられる。
【００４０】
軟質ゴム製滑り板３７、３５がハウジング３１から引きずり出された後に、上側及び下側軟質ゴム製指サック３６、３４を都合良く取り替えることができる。軟質ゴム製指サック３６、３４にそれぞれ固定される測定素子３９、３８は、ピンソケットを介して、ハウジング３１内のインターフェース回路基板に接続される。
【００４１】
データ処理回路基板、試験報告表示画面３３、操作キー、電池４０、スピーカー、ミニＵＳＢデータ出力ポート等がハウジング３１内に設けられる。
【００４２】
開口部３２から軟質ゴム製指サック３６、３４の中に指が挿入されるとき、軟質ゴム製指サック３６、３４は、指の外形の変動に合わせて指を隙間なく包み込み、指の締め付けられる部分に締付力を均一に分布させる。
【００４３】
軟質ゴム製指サック３６、３４は、広い弾性伸縮範囲を有し、指のサイズの変動が大きくなっても、それに合わせることができる。
【００４４】
軟質ゴム製指サック３６、３４は完全にハウジング３１内に設けられ、ハウジングは完全に密閉された形を成し、側面からの強い光が測定を妨げるのを防ぐ。
【００４５】
ピボット構造がなくなるので、酸素濃度計の信頼性が改善される。
【００４６】
本考案の３つの実施形態をこれまでに説明してきたが、本考案に対して種々の変更、改善及び置換を行なうことができることは当業者には理解することができ、これらの変更、改善及び置換は全て、添付の実用新案の請求の範囲によって規定される本考案の範囲内に入る。
【手続補正２】
【補正対象書類名】実用新案登録請求の範囲
【補正対象項目名】全文
【補正方法】変更
【補正の内容】
【実用新案登録請求の範囲】
【請求項１】
ピボット構造を有しない軟質ゴム製指サック酸素濃度計であって、該軟質ゴム製指サック酸素濃度計は、軟質ゴム製指サックを備え、該軟質ゴム製指サックは指の外形の変動に合わせて指を隙間なく包み込み、指の締め付けられる部分に締付力を均一に分布させ、該軟質ゴム製指サック内に放射回路基板及び受信回路基板が設けられることを特徴とする、ピボット構造を有しない軟質ゴム製指サック酸素濃度計。
【請求項２】
データ処理回路基板、試験報告表示画面、操作キー、電池、スピーカー及びミニＵＳＢデータ出力ポートを含む電子素子が設けられるハウジングをさらに備え、該ハウジングは、前記軟質ゴム製指サックの外部の側面に配置され、前記軟質ゴム製指サックに着脱可能に接続される、請求項１に記載のピボット構造を有しない軟質ゴム製指サック酸素濃度計。
【請求項３】
データ処理回路基板、測定回路基板、試験報告表示画面、操作キー及び電池を含む回路ユニットと、前記回路ユニットが設けられ、指を挿入することができる開口部を有するソフトシリカゲル鞘とをさらに備え、前記測定回路基板は、互いに向かい合って設けられる放射回路基板及び受信回路基板を含む、請求項１に記載のピボット構造を有しない軟質ゴム製指サック酸素濃度計。
【請求項４】
前記放射回路基板は、前記ソフトシリカゲル鞘内の、測定時に測定される指が前記ソフトシリカゲル鞘の内側表面と接触する側に設けられ、前記放射回路基板と向かい合って設けられる前記受信回路基板は、前記ソフトシリカゲル鞘内の、前記データ処理回路基板が配置される側に設けられる、請求項３に記載のピボット構造を有しない軟質ゴム製指サック酸素濃度計。
【請求項５】
電子素子を固定及び保護するために用いられるステンレス鋼接続板が前記ソフトシリカゲル鞘内に埋め込まれ、前記ステンレス鋼接続板は前記ソフトシリカゲル鞘に合わせてホットプレスされ、該ソフトシリカゲル鞘内に挿入されて単一のユニットを形成し、前記ステンレス鋼接続板の輪郭は、前記ソフトシリカゲル鞘の上側表面及び側面の外形と共に変動する、請求項３又は４に記載のピボット構造を有しない軟質ゴム製指サック酸素濃度計。
【請求項６】
データ処理回路基板、試験報告表示画面、操作キー、電池、スピーカー及びミニＵＳＢデータ出力ポートを含む電子素子がハウジング内に設けられ、該ハウジング内に、軟質ゴム製滑り板のための水平引きずり滑り面が設けられ、上側軟質ゴム製指サック及び下側軟質ゴム製指サックがそれぞれ前記軟質ゴム製滑り板に固定され、一方、該軟質ゴム製滑り板はそれぞれ、前記ハウジング内の該軟質ゴム製滑り板のための前記水平引きずり滑り面上に取り付けられ、測定素子が前記軟質ゴム製指サックに取り付けられ、前記軟質ゴム製指サックに取り付けられる前記測定素子は、ピンソケットを介して、前記ハウジング内のインターフェース回路基板に接続される、請求項１に記載のピボット構造を有しない軟質ゴム製指サック酸素濃度計。